(57)【要約】【課題】有極性の浴槽用循環具において、浴槽内に加熱湯を足す場合に加熱湯が吸入用開口部から浴槽内へ直接噴き出すことを抑制することができる浴槽用循環具を提供する。【解決手段】浴槽用循環具１１は、浴槽の側壁１２に貫通された状態で固定され、外部の給湯器と浴槽内との間で浴槽水の循環を行わせるためのものである。係る浴槽用循環具１１は、浴槽の側壁１２に設けられた貫通孔１３に浴槽内から挿通された状態で浴槽外の外部筒体１５に締付けられて側壁に固定される締付筒体１４と、該締付筒体１４内に挿入されて固定され、浴槽水の吸入用開口部３７及び給湯器で加熱された加熱水を浴槽内へ吐出する吐出用開口部３８を有する区画部材１６とを備えている。そして、区画部材１６の浴槽内側には、吸入用開口部３７の前方を覆うように遮蔽部材３９が区画部材１６と一体的に設けられている。【選択図】図１
2009068775.tif 000002
【特許請求の範囲】
【請求項１】
浴槽の側壁に貫通された状態で固定され、外部の給湯器と浴槽内との間で浴槽水の循環を行わせるための浴槽用循環具であって、
浴槽の側壁に設けられた貫通孔に浴槽内から挿通された状態で浴槽外の外部筒体に締付けられて側壁に固定される締付筒体と、該締付筒体内に挿入されて固定され、浴槽水の吸入用開口部及び給湯器で加熱された加熱水を浴槽内へ吐出する吐出用開口部を有する区画部材とを備え、前記吐出用開口部に連通される吐出側接続口が給湯器の往き配管に接続され、吸入用開口部に連通される吸入側接続口が給湯器の戻り配管に接続されるように構成されると共に、前記区画部材の浴槽内側には、吸入用開口部の前方を覆うように遮蔽部材が設けられていることを特徴とする浴槽用循環具。
【請求項２】
前記遮蔽部材は、区画部材と一体的に設けられていることを特徴とする請求項１に記載の浴槽用循環具。
【請求項３】
前記遮蔽部材は、区画部材とは別体で形成され、区画部材に取付け固定されている遮蔽板であることを特徴とする請求項１に記載の浴槽用循環具。
【請求項４】
前記遮蔽部材は、吸入用開口部の軸線と交差する方向に設けられていることを特徴とする請求項１から請求項３のいずれか１項に記載の浴槽用循環具。
【請求項５】
前記区画部材の浴槽内側にはフィルターカバーが設けられ、該フィルターカバーのうち吸入用開口部の前方位置には遮蔽部材が設けられていることを特徴とする請求項１に記載の浴槽用循環具。
【発明の詳細な説明】
【技術分野】
【０００１】
本発明は、浴槽の側壁に取付けられ、浴槽水を外部の給湯器を介して循環させる配管を浴槽に接続し、浴槽水を循環して加熱するための浴槽用循環具に関するものである。さらに詳しくは、浴槽内に加熱湯を足す場合、加熱湯が吸入用開口部から浴槽内へ直接噴き出すことを抑制することができる浴槽用循環具に関するものである。
【背景技術】
【０００２】
この種の浴槽用循環具としては、いわゆる有極性のものと無極性のものとが知られている。有極性の浴槽用循環具は、施工時に給湯器の往き配管を浴槽用循環具の吐出側（吐出側接続口）に接続し、給湯器の戻り配管を浴槽用循環具の吸入側（吸入側接続口）に接続しなければならないタイプのものである。一方、無極性の浴槽用循環具は、給湯器への配管の接続について有極性の浴槽用循環具のような接続を必要とせず、往き配管及び戻り配管を浴槽用循環具の吐出側及び吸入側のどちらに接続しても浴槽水の循環ができるタイプのものである。
【０００３】
有極性の浴槽用循環具としては、例えば特許文献１に記載されているような構成のものが知られている。すなわち、係る浴槽用循環具は、給湯通路と戻り湯通路とを形成し、その給湯通路を螺旋状に形成したものである。
【特許文献１】実開平３−７０１２７号公報（第１頁及び図１）
【発明の開示】
【発明が解決しようとする課題】
【０００４】
ところで、無極性の浴槽用循環具においては、循環水の吸い込み及び吐き出しを制御する弁を備えているため、足し湯の際に加熱湯が吸入用開口部から浴槽内へ直接噴出するおそれはない。ところが、有極性の浴槽用循環具は吸い込み及び吐き出しを制御する弁を備える必要がないため、足し湯の際に加熱湯が吸入用開口部から浴槽内へ直接噴出される。
【０００５】
そのため、前記特許文献１に記載されているような有極性の浴槽用循環具においては、浴槽内に加熱湯を足す場合に給湯器から循環された加熱湯が吸入用開口部に到り、その吸入用開口部に達した加熱湯は浴槽用循環具の前面から浴槽内へ噴き出される。従って、加熱湯が浴槽内の入浴者に直接当たりやすいという問題があった。
【０００６】
そこで本発明の目的とするところは、有極性の浴槽用循環具において、浴槽内に加熱湯を足す場合に加熱湯が吸入用開口部から浴槽内へ直接噴き出すことを抑制することができる浴槽用循環具を提供することにある。
【課題を解決するための手段】
【０００７】
上記の目的を達成するために、請求項１に記載の発明の浴槽用循環具は、浴槽の側壁に貫通された状態で固定され、外部の給湯器と浴槽内との間で浴槽水の循環を行わせるためのものである。そして、浴槽の側壁に設けられた貫通孔に浴槽内から挿通された状態で浴槽外の外部筒体に締付けられて側壁に固定される締付筒体と、該締付筒体内に挿入されて固定され、浴槽水の吸入用開口部及び給湯器で加熱された加熱水を浴槽内へ吐出する吐出用開口部を有する区画部材とを備え、前記吐出用開口部に連通される吐出側接続口が給湯器の往き配管に接続され、吸入用開口部に連通される吸入側接続口が給湯器の戻り配管に接続されるように構成されると共に、前記区画部材の浴槽内側には、吸入用開口部の前方を覆うように遮蔽部材が設けられていることを特徴とする。
【０００８】
請求項２に係る浴槽用循環具は、請求項１において、前記遮蔽部材は、区画部材と一体的に設けられていることを特徴とする。
請求項３に係る浴槽用循環具は、請求項１において、前記遮蔽部材は、区画部材とは別体で形成され、区画部材に取付け固定されている遮蔽板であることを特徴とする。
【０００９】
請求項４に係る浴槽用循環具は、請求項１から請求項３のいずれかの発明において、前記遮蔽部材は、吸入用開口部の軸線と交差する方向に設けられていることを特徴とする。
請求項５に係る浴槽用循環具は、請求項１において、前記区画部材の浴槽内側にはフィルターカバーが設けられ、該フィルターカバーのうち吸入用開口部の前方位置には遮蔽部材が設けられていることを特徴とする。
【発明の効果】
【００１０】
本発明によれば、次のような効果を発揮することができる。
請求項１に係る有極性の浴槽用循環具においては、前記区画部材の浴槽内側には、吸入用開口部の前方を覆うように遮蔽部材が設けられている。このため、浴槽内に加熱湯を足す場合にその加熱湯が吸入用開口部から吐出されたとき、吐出された加熱湯が遮蔽部材で遮られる。従って、有極性の浴槽用循環具において、浴槽内に加熱湯を足す場合に加熱湯が吸入用開口部から浴槽内へ直接噴き出すことを抑制することができる。
【００１１】
請求項２の浴槽用循環具では、遮蔽部材が区画部材と一体的に設けられていることから、請求項１に係る発明の効果に加えて、遮蔽部材を区画部材の成形と同時に効率良く得ることができる。
【００１２】
請求項３の浴槽用循環具では、遮蔽部材が区画部材とは別体で形成され、区画部材に取付け固定されている遮蔽板で構成される。このため、請求項１に係る発明の効果に加えて、遮蔽部材の形状、配置などの設計を容易に行うことができる。
【００１３】
請求項４の浴槽用循環具では、遮蔽部材が吸入用開口部の軸線と交差する方向に設けられている。従って、請求項１から請求項３のいずれかに係る発明の効果に加えて、加熱湯が吸入用開口部の軸線方向に直接噴き出すことを抑制することができる。
【００１４】
請求項５の浴槽用循環具では、区画部材の浴槽内側にはフィルターカバーが設けられ、該フィルターカバーのうち吸入用開口部の前方位置には遮蔽部材が設けられている。このため、請求項１に係る発明の効果に加えて、フィルターカバーを利用して遮蔽部材を容易に設けることができる。
【発明を実施するための最良の形態】
【００１５】
以下、本発明の最良と思われる実施形態につき、図面に基づいて詳細に説明する。
図３に示すように、本実施形態の浴槽用循環具１１は、浴槽の側壁１２に設けられた貫通孔１３に内側から挿入される締付筒体１４と、側壁１２の外部に配設される外部筒体１５と、前記締付筒体１４に挿入固定される区画部材１６と、該区画部材１６に取付けられるフィルターカバー１７とを備えている。本実施形態の浴槽用循環具は有極性のものであり、給湯器からの往き配管及び給湯器への戻り配管と、浴槽用循環具の吐出用開口部に連通する吐出側接続口及び吸入用開口部に連通する吸入側接続口とがそれぞれ接続されるように予め定められているタイプのものである。
【００１６】
前記外部筒体１５は金属からなり、その後端部（図３の左端部）には、浴槽外部に配設された給湯器の強制循環配管の往き管１９に接続される吐出側接続口２０及び戻り管１８に接続される吸入側接続口２１が設けられている。一方の吐出側接続口２０は中心部の内室２２に、他方の吸入側接続口２１は外周部の外室２３に接続されている。内室２２の開口側内周には、Ｏリング２４が嵌め込まれている。外部筒体１５の開口端部内周面には雌ねじ部２５が螺刻されている。外部筒体１５の開口端部にはフランジ部２６が設けられると共に、そのフランジ部２６にはシール材２７が被せられ、側壁１２の外側面との間の水密が確保されている。
【００１７】
締付筒体１４はポリアセタール等の合成樹脂により円筒状に形成され、その前端部（図３の右端部）にはフランジ２８が突設されている。締付筒体１４の外周面には雄ねじ部２９が螺刻され、その雄ねじ部２９が前記外部筒体１５の雌ねじ部２５に螺合され、締付筒体１４と外部筒体１５とが浴槽の側壁１２を挟んで連結固定されるようになっている。締付筒体１４の内周面には軸線方向に延びる複数の位置決め突起３０が設けられている。フランジ２８の外周面には環状係合溝３１が凹設されている。該フランジ２８と側壁１２の内側面との間にはパッキン３２が挟着され、両者間の水密が確保されている。
【００１８】
区画部材１６はポリアセタール等の合成樹脂により略円筒状に形成され、その内端部の内周面には周方向に延びる抜け防止爪３３（図４の拡大断面図を参照）が突設され、前記締付筒体１４の環状係合溝３１に係合されるようになっている。これら区画部材１６の抜け防止爪３３と、締付筒体１４の環状係合溝３１との係合により、区画部材１６の抜け出しが防止されるようになっている。
【００１９】
区画部材１６の中心部には、前記外部筒体１５の中心部に設けられた内室２２に接続される吐出用通路３４が設けられ、その周囲には外部筒体１５の外室２３に接続される吸入用通路３５が設けられている。これらの吸入用通路３５と吐出用通路３４との間には、水の流れを仕切る区画壁３６が設けられている。吸入用通路３５の前方には吸入用開口部３７が設けられるとともに、吐出用通路３４の前方にはその方向が９０度変更された（図１及び図３の下方向）吐出用開口部３８（図２（ａ）、（ｂ）を参照）が設けられている。
【００２０】
吸入用開口部３７の前端部における区画壁３６には、吸入用開口部３７の前方を覆うように遮蔽部材３９が正面円弧状（図２（ａ）を参照）に一体的に設けられ、浴槽内に加熱湯を足す場合に吸入用開口部３７から噴き出される加熱湯がその遮蔽部材３９に当たって浴槽内へ直接噴き出すことを抑えるようになっている。この遮蔽部材３９の直径は、吸入用開口部３７の外径とほぼ同一に形成されている。また、区画部材１６の前部には位置決め用の係合部４０が設けられ、前記締付筒体１４の位置決め突起３０に係合して区画部材１６の周方向への回転が規制されている。
【００２１】
図４の部分拡大図に示すように、区画部材１６の外周部には、その軸方向に延びる位置合せ凹部４１が形成されるとともに、同じく軸方向に延びる第１係合突条４３及び第２係合突条４４が設けられている。第２係合突条４４は、第１係合突条４３よりも低く、かつ断面山型状に形成されている。さらに、これら第１係合突条４３及び第２係合突条４４の間には、それらの前端側に周方向に延びる抜け止め突条４５が設けられている。
【００２２】
前記区画部材１６の前方には合成樹脂製のフィルターカバー１７が配設されている。図５（ａ）〜（ｃ）に示すように、フィルターカバー１７は円板状をなし、多数の流通孔４６を有する前面板４７と、その周囲から後方へ延びる周壁板４８とより一体形成されている。周壁板４８の内周面には３箇所に係合突部４９が設けられ、前記区画部材１６の位置合せ凹部４１に位置合せした状態でフィルターカバー１７を周方向に回動させ、第２係合突条４４を乗り越えて第１係合突条４３と第２係合突条４４の間に位置させることにより、フィルターカバー１７の周方向及び軸方向への動きを規制するように構成されている。図５（ｂ）及び（ｄ）に示すように、フィルターカバー１７の周壁板４８の１箇所には挿通孔５０が開口され、前記区画部材１６の吐出用開口部３８に連通されるようになっている。
【００２３】
上記のように構成された浴槽用循環具１１を浴槽の側壁１２に取付固定する場合には、図３及び図１に示すように、浴槽の側壁１２に設けられた貫通孔１３に内側から締付筒体１４を挿通し、その雄ねじ部２９を側壁１２の外側に配設された外部筒体１５の雌ねじ部２５に螺合して締付け固定する。次いで、区画部材１６の吸入用通路３５を締付筒体１４内に形成するようにして区画部材１６の抜け防止爪３３を締付筒体１４の環状係合溝３１に係合させる。このようにして、吸入用通路３５が外部筒体１５の外室２３に接続されると共に、吐出用通路３４が外部筒体１５の内室２２に接続される。
【００２４】
続いて、フィルターカバー１７の係合突部４９を区画部材１６の位置合せ凹部４１に位置合せした後、フィルターカバー１７を周方向に回動させ、係合突部４９を区画部材１６の第１係合突条４３を乗り越えて第１係合突条４３と第２係合突条４４の間に位置させる。このようにして、フィルターカバー１７を区画部材１６に固定する。そして、外部筒体１５の吐出側接続口２０を往き配管１９に、吸入側接続口２１を戻り管１８に、それぞれ接続する。そして、浴槽外の給湯器で浴槽水を循環させると、浴槽水はフィルターカバー１７の前面から吸い込まれ、吸入用開口部３７を通って吸入用通路３５に流れ、さらに戻り配管１８を経て給湯器へと流れる。給湯器で加熱された加熱水は往き配管１９から吐出用通路３４を介して吐出用開口部３８からフィルターカバー１７の挿通孔５０を経て浴槽内へ吐出される。
【００２５】
次に、本実施形態の浴槽用循環具について作用を説明する。
さて、浴槽内に加熱湯を足したい場合には、給湯器を作動させると、加熱湯が内室２２及び外室２３から吐出用通路３４及び吸入用通路３５に供給され、さらに吐出用開口部３８及び吸入用開口部３７から浴槽内に供給される。このとき、吐出用開口部３８から吐出される加熱湯は区画部材１６の軸線と直交する下方へ向うため問題は生じないが、吸入用開口部３７から吐出される加熱湯は区画部材１６の軸線方向前方に向かい入浴者に直接当たる結果を招くため問題がある。しかしながら、本実施形態の浴槽用循環具１１では、円板状をなす遮蔽部材３９が吸入用開口部３７の前方を塞ぐように区画部材１６と一体的に設けられている。
【００２６】
そのため、給湯器からの加熱湯が吸入用開口部３７から前方へ吐出されたとき、吐出された加熱湯が遮蔽部材３９で遮られ、図１に矢印で示すように斜め外周方へ吐出される。このように、吸入用開口部３７から噴出される加熱湯は入浴者に直接当たることなく、遮蔽部材３９から周囲へ方向を変えて拡散され、かつその勢いが弱められる。
【００２７】
以上の実施形態によって発揮される効果について、以下に記載する。
・  実施形態における浴槽用循環具１１においては、前記区画部材１６の浴槽内側には、吸入用開口部３７の前方を覆うように遮蔽部材３９が設けられている。このため、浴槽内に加熱湯を足す場合にその加熱湯が吸入用開口部３７から吐出されたとき、吐出された加熱湯が遮蔽部材３９で遮られる。従って、有極性の浴槽用循環具１１において、浴槽内に加熱湯を足す場合に加熱湯が吸入用開口部３７から浴槽内へ直接噴き出すことを抑制することができる。
【００２８】
・  前記遮蔽部材３９は区画部材１６と一体的に設けられていることから、遮蔽部材３９を区画部材１６の成形と同時に効率良く得ることができる。
・  遮蔽部材３９は吸入用開口部３７の軸線と交差する方向、特に直交する方向に設けられていることから、加熱湯が吸入用開口部３７の軸線方向（図１及び図３の水平方向）に直接噴き出すことを抑制することができる。
【００２９】
なお、本実施形態は、次のように変更して具体化することも可能である。
・  図７（ａ）及び（ｂ）に示すように、遮蔽部材３９を区画部材１６とは別体で形成することができる。すなわち、遮蔽部材３９としての遮蔽板３９ａは外周部が一方へ傾斜した皿状に形成されるとともに、その中心には取付孔５１が透設されている。そして、図６に示すように、遮蔽板３９ａを区画部材１６とフィルターカバー１７との間に配置し、区画部材１６の内端面の中心に突設された係止突起５２に遮蔽板３９ａの取付孔５１を嵌めた状態で、フィルターカバー１７を区画部材１６に組付ける。このように構成した場合、前記実施形態の遮蔽部材３９と同様の効果が得られるとともに、遮蔽板３９ａの形状、配置などの設計を容易に行うことができる。
【００３０】
なお、上記遮蔽板３９ａとして大きさ（直径）の異なる複数の遮蔽板３９ａを用意し、内端側ほど大きい遮蔽板３９ａを配設することも可能である。この場合、遮蔽板３９ａの効果を一層有効に発揮させることができる。
【００３１】
・  図８に示すように、遮蔽部材３９をフィルターカバー１７の一部に設けることができる。すなわち、フィルターカバー１７の中心部における流通孔４６を塞いで遮蔽域３９ｂとして構成することもできる。この場合、実施形態の遮蔽部材３９と同様の効果が得られるとともに、フィルターカバー１７を利用して遮蔽域３９ｂを容易に形成することができる。
【００３２】
なお、フィルターカバー１７の流通孔４６の大きさを中心部では小さく、外周側ほど大きくなるように構成することも可能である。
・  前記実施形態の遮蔽部材３９を区画部材１６とは別体で形成し、遮蔽部材３９を区画部材１６に接着したり、嵌合させたりして固定（一体化）することもできる。
【００３３】
・  前記実施形態の遮蔽部材３９を、吸入用開口部３７の軸線に対して前方ほど拡径されるように例えば６０°又は８０°の角度に傾斜させて構成することも可能である。
さらに、前記実施形態より把握できる技術的思想について以下に記載する。
【００３４】
・  前記遮蔽部材は、吸入用開口部の軸線と直交する方向に設けられていることを特徴とする請求項４又は請求項５に記載の浴槽用循環具。このように構成した場合、請求項４又は請求項５に係る発明の効果に加えて、遮蔽部材の効果を最も有効に発揮させることができる。
【図面の簡単な説明】
【００３５】
【図１】本発明の実施形態における浴槽用循環具を示す断面図。
【図２】（ａ）は区画部材を示す正面図、（ｂ）は区画部材の底面図。
【図３】浴槽用循環具を分解して示す断面図。
【図４】区画部材の背面図であって、部分拡大背面図及び部分拡大断面図を含む。
【図５】（ａ）はフィルターカバーを示す正面図、（ｂ）はフィルターカバーの側断面図、（ｃ）はフィルターカバーの背面図、（ｄ）はフィルターカバーの底面図。
【図６】本発明の遮蔽部材の別例を示す図であって、区画部材、遮蔽部材及びフィルターカバーを分解して示す断面図。
【図７】（ａ）は遮蔽部材を示す断面図、（ｂ）は遮蔽部材を示す正面図。
【図８】フィルターカバーの別例を示す正面図。
【符号の説明】
【００３６】
１１…浴槽用循環具、１２…側壁、１３…貫通孔、１４…締付筒体、１５…外部筒体、１６…区画部材、１７…フィルターカバー、１８…戻り配管、１９…往き配管、２０…吐出側接続口、２１…吸入側接続口、３９…遮蔽部材、３９ａ…遮蔽部材としての遮蔽板、３９ｂ…遮蔽部材としての遮蔽域。
【図１】
2009068775.tif 000003
【図２】
2009068775.tif 000004
【図３】
2009068775.tif 000005
【図４】
2009068775.tif 000006
【図５】
2009068775.tif 000007
【図６】
2009068775.tif 000008
【図７】
2009068775.tif 000009
【図８】
2009068775.tif 000010